(57)【要約】【課題】従来のポケット付き男性用尿パットは構造が複雑であるので、シンプルにして扱い易い男性用使い捨て尿パットを提供する。【解決手段】裏面は長方形状の防水シ−ト２とし、その表面は一回り小さい不織布３で成る内部に水吸収材４を収めた尿パット１を形成し、その尿パット１の中ほど面に、長手方向の一方側に挿入口５を有するポケット６を設けた男性用使い捨て尿パット１とする。【選択図】図１
0003119312.tif 000002
【実用新案登録請求の範囲】
【請求項１】
裏面は長方形状の防水シ−トとし、その表面は一回り小さい不織布で成る内部に水吸収材を収めた尿パットを形成し、さらに前記尿パットの中ほど面には、長手方向の一方側に挿入口を有するポケットを設けたことを特徴とする男性用使い捨て尿パット。
【請求項２】
上記する尿パットの挿入口の縁を、適度な弾性を有するギャザ−縁を設けて成る請求項１に記載する男性用使い捨て尿パット。
【考案の詳細な説明】
【技術分野】
【０００１】  本考案は、寝たきり生活している男性用の尿パットに、安定して保持できるポケットを設けた使い捨て尿パットに関する。
【背景技術】
【０００２】  従来より、病気や怪我により、寝たきり生活している男性用の尿パットやその技術が提供されている。具体的には、内部に水分吸収材を入れた長方形状の尿パットが提供され、使用する際はこのパットで男性性器を三角状に包むようにして後に接着留めし、さらに、その外側に大きなオムツを当てて使用し、適宜に尿パットのみ又は大きなオムツごと取り替えている。【０００３】  さらに、同形状の尿パットの長手方向の一方側の縁にミシン目を付け、使用する際はそのミシン目を開けて後に男性性器を通すことで、ずれにくい尿パットが提供されている。【０００４】  また、大人用紙オムツの内側に男性性器の収納袋を設けて成る横漏れ防止用の大人用紙オムツの技術もある。（例えば、特許文献１参照）
【特許文献１】特開２００３−１９９７７９公報（第２頁、図１）
【考案の開示】
【考案が解決しようとする課題】
【０００５】  上記のような男性用の尿パットがあり、それぞれ一定の効果はある。しかし実際に使用するについては以下のような欠点や使いにくさがあった。まず男性性器を包む長方形状の尿パットはシンプルであるが、使用する際は男性性器を尿パットの長手方向の中ほどに位置して後、両側を折り返して三角状に包むようにして使用するが、その外側を大きなオムツで包んでも、非介護者が動いたり寝返りをしているうちに、男性性器がズレたり外れやすく、そのままの状態で尿をすると、肛門側や背部まで尿で濡れてしますこともあり、時には便と一緒になって大変な状態になることもあるなど、不便や欠点がある使いにくい尿パットであった。【０００６】  また、その欠点を解消するために、同形状の尿パットの長手方向の一方側の縁にミシン目を付けて、使用する際はこのミシン目を開けた部分に男性性器を入れて包める尿パットも提供されているが、男性性器は縁部分で保持されるのである程度パットの中ほど部位に位置できるが、しかし性器の根元から先はフリ−となるので安定して保持できないし、ミシン目を探して一々開ける面倒や欠点があった。【０００７】  さらに、特開２００３−１９９７７９公報に開示される技術は、両サイドの凹部にギャザ−を付けた大人用の紙オムツの内側に男性性器収納用のポケットを設けたものであるので、全体に複雑でコスト高である。一般的な大人用紙オムツで便も尿も取れる併用型であるが、尿が多い時は便で汚れていなくても取り替えなくてはならず、また、尿で濡れなくても便で汚れていた時もそのつど取り替えなくてはならないので不経済である。これは尿にも便にも併用できる便利さはあるが、一般的な現場に於ては、尿の量や回数など個人差もあるので、便よりも回数が多い尿専用のパットをオムツに組み合わせて使うのが一般的であり、便も保持できる大人用オムツにポケットを設けるのは使い勝手も悪いものであった。
【課題を解決するための手段】
【０００８】  本考案は以上のような不便や欠点を解消するために、請求項１においては、裏面は防水シ−トとし、その表面は一回り小さい不織布で成る内部に水吸収材を収めた尿パットを形成し、その尿パットの中ほど面に、長手方向の一方側に挿入口を有するポケットを設けた男性用使い捨て尿パットとすることで、非介護者が動いたり寝返りしても、男性性器がズレたりしないことで、横漏れや背中側へ流れるのを防止できるものとする。【０００９】  請求項２においては、上記する尿パットの挿入口の縁を、適度な弾性を有するギャザ−縁とすることで、ポケットに収めた男性性器の根元を軽く挟んでさらに安定して保持できる尿パットとする。
【考案の効果】
【００１０】  本発明による尿パットは、シンプルな矩形状の尿パットの中ほどに男性性器を収められるポケットを設けているので、スム−ズに男性性器を入れて包むように閉じられ、かつ、ポケットであるので男性性器全体を保持できることで、非介護者が激しく動いたり寝返りをしても安定させられるので、尿の量が多い場合でも横漏れや背部へ流れるのを防ぐことができる使い捨て尿パットを提供できる。【００１１】    さらに実施例２タイプは、基本形態は実施例１と同じようにポケットを設けているが、そのポケットの入口を柔らかいゴムを備えたギャザ−縁としているので、男性性器の根元部位を軽く保持する状態となるため、実施例１タイプより、さらに安定して根元部位を保持できる。加えてどちらのタイプもポケットを設けているので、尿の量が多めの人の場合は、ポケットに入る大きさの補助吸水パットを入れて使用することも可能である。加えて、いずれも矩形状のパット面にポケットを設けたきわめてシンプルな形態であるので、コストも従来と変わらない安価にして取り扱いも簡単な男性用使い捨て尿パットである。
【考案を実施するための最良の形態】
【００１２】  男性性器を安定位置に保持し、かつ、尿を効果的に吸収できるパットとするために、適度な長さで長方形状を成す尿吸収パットの中ほど面に、一方の長辺側に入口を有する男性性器収納用のポケットを設け、さらに、その尿吸収パットの裏面一部に剥離紙付き接着部を設けた尿パットとする。
【実施例１】
【００１３】  本考案の実施例１の尿パットを図１に示す一部を欠いた斜視図と図２に示す背面図及び図３の使用例図で説明する。
実施例１の尿パット１は長方形状であり、裏面に防水シ−ト２を、その表面には一回り小さい不織布３で成る内部に水吸収材４を収めた前記不織布３面の中ほどに、長手方向の一方側から男性性器を収められる挿入口５を有する不織布３によるポケット６を設け、かつ、裏面の防水シ−ト２の一方側には、剥離紙７付き接着部８を設けた尿パット１とし、さらに前記防水シ−ト２の中ほど両サイドは伸縮するギャザ−縁９とする男性用使い捨て尿パット１を構成する。【００１４】  実施例１の尿パット１は、裏面が防水シ−ト２で、表面が不織布３で成る長手方向の中ほど部位一方側から入れられるポケット６を設けているので、使用する際は図３に示すようにして男性性器をポケット６の挿入口５から収めた後、裏面に剥離紙７が付いた方を内側に折り曲げ、その上に対向側を折り返して包むようにして接着したうえで、一般のオムツ１０でさらに包むと、非介護者が寝た状態で動いたり寝返りしても男性性器はポケット６により安定して保持できる使い捨て尿パット１となる。
【実施例２】
【００１５】  実施例２の尿パットを図４に示す斜視図で説明する。
実施例２の尿パット１の基本構成は前記実施例１と同様に、裏面は防水シ−ト２で、表面の不織布３面にポケット６を設けるが、そのポケット６の挿入口５の縁を伸縮するギャザ−縁９を形成して成る男性用使い捨て尿パット１を構成する【００１６】  実施例２の尿パット１は、基本構成は前記実施例１と同様であるが、不織布３面に設けるポケット６の縁を伸縮するギャザ−縁９で形成しているので、男性性器を収めた際に伸縮するギャザ−縁９で軽く挟むような形になるので、実施例１タイプより安定して保持収納できる尿パット１となる。【００１７】  本考案の尿パット１は、以上のような構成であるが、ポケット６に別体形成する小さく薄い補助吸収パットを入れて使用してもよい。またポケット６の大きさや位置は特に限定されるものではない。
【図面の簡単な説明】
【００１８】
【図１】  本考案の実施例１の尿パットを示す斜視図である。
【図２】  実施例１の尿パットの背面を示す斜視図である。
【図３】  実施例１の尿パットの使用例を示す参考図である。
【図４】  実施例２の尿パットを示す斜視図である。
【符号の説明】
【００１９】  １  尿パット
２  防水シ−ト
３  不織布
４  水吸収材
５  挿入口
６  ポケット
７  剥離紙
８  接着部
９  ギャザ−縁
１０  オムツ
【図１】
0003119312.tif 000003
【図２】
0003119312.tif 000004
【図３】
0003119312.tif 000005
【図４】
0003119312.tif 000006